Podtech/llm-jp-corpus-v4-ja_patent huggingface dataset:
(57)【要約】【課題】屋内に車いすを乗り入れるに際し、その後輪を構成するタイヤの汚れの除去を、できるだけしないで済むようにすると共に、これが必要になる場合でもその作業をできるだけ容易なものにする。【解決手段】プラスチックフォーム材より構成されるチューブレスタイヤであって、トレッド部１ａからリム２への装着部１ｃに近づくに連れて幅を漸増させるように構成されていると共に、前記トレッド部１ａの表面は、凹凸無く滑らかな面となっている。【選択図】図１
2015051644.tif 000002
【特許請求の範囲】
【請求項１】
プラスチックフォーム材より構成されるチューブレスタイヤであって、
トレッド部からリムへの装着部に近づくに連れて幅を漸増させるように構成されていると共に、
前記トレッド部の表面は、凹凸無く滑らかな面となっていることを特徴とする車いすの後輪用タイヤ。
【請求項２】
トレッド部は車いすの後輪の回転中心軸に実質的に平行をなすと共に、左右の側部はいずれもリムへの装着部に近づくに連れてタイヤの幅を漸増させるように傾斜しており、且つ、この左右の側部の表面は凹凸無く滑らかな面となっていることを特徴とする請求項１に記載の車いすの後輪用タイヤ。
【発明の詳細な説明】
【技術分野】
【０００１】
この発明は、車いすの後輪を構成するタイヤの改良に関する。
【背景技術】
【０００２】
屋外から屋内に車いすを乗り入れる場合、車いすの車輪についた汚れ、すなわち、かかる車輪を構成するタイヤの汚れを除去する必要が少なからずある。例えば、介護施設などにおいては、その出入り口において車いすの車輪の洗浄が必要に応じて行われている。こうした洗浄は、車輪の全周に亘ってなさざるを得ず、特に後輪は１２インチ〜２４インチ程度の大きさがあるため、必ずしも容易なものではない。
【発明の概要】
【発明が解決しようとする課題】
【０００３】
この発明が解決しようとする主たる問題点は、屋内に車いすを乗り入れるに際し、その後輪を構成するタイヤの汚れの除去を、できるだけしないで済むようにすると共に、これが必要になる場合でもその作業をできるだけ容易なものにする点にある。
【課題を解決するための手段】
【０００４】
前記課題を達成するために、この発明にあっては、車いすの後輪用タイヤを、プラスチックフォーム材より構成されるチューブレスタイヤであって、
トレッド部からリムへの装着部に近づくに連れて幅を漸増させるように構成されていると共に、
前記トレッド部の表面は、凹凸無く滑らかな面となっているものとした。
【０００５】
また、前記トレッド部は車いすの後輪の回転中心軸に実質的に平行をなすと共に、左右の側部はいずれもリムへの装着部に近づくに連れてタイヤの幅を漸増させるように傾斜しており、且つ、この左右の側部の表面も凹凸無く滑らかな面としておくことが、この発明の好ましい態様の一つとされる。
【０００６】
かかるタイヤは、プラスチックフォーム材より構成されるチューブレスタイヤであるため、空気圧調整などの必要はない。また、既存の車いすの車輪を構成するリムに装着可能な構成を備えながら、接地箇所となるトレッド部は最小化される。これにより、タイヤの汚れの除去が必要となる場合でも、その箇所を最小化させることができる。また、トレッド部は凹凸無く滑らかな面であることから、汚れがつきにくく、また、付着した汚れも除去しやすい。
【発明の効果】
【０００７】
この発明によれば、屋内に車いすを乗り入れるに際し、その後輪を構成するタイヤの汚れの除去を、できるだけしないで済むようにすると共に、これが必要になる場合でもその作業をできるだけ容易なものにすることができる。
【図面の簡単な説明】
【０００８】
【図１】図１はこの発明の一実施の形態にかかるタイヤの断面構成図である。
【発明を実施するための形態】
【０００９】
以下、図１に基づいて、この発明の典型的な実施の形態について、説明する。この実施の形態にかかるタイヤ１は、車いすの後輪を構成するリム２の外周を取り巻くようにこのリム２に組み合わされて、かかる後輪を構成するものである。
【００１０】
かかるタイヤ１は、ウレタンフォーム材などのプラスチックフォーム材より構成されるチューブレスタイヤである。かかるタイヤ１は、接地箇所となるトレッド部１ａと、左右の側部（サイドウォール）１ｂ、１ｂと、リム２への装着部１ｃとを備え、内部にチューブを納めるような空所はなく、実質的に中実な構造となっている。かかるタイヤ１は、その表面に限り、無発泡状態となるように成形することが好ましい。チューブレスタイヤ１は、空気圧調整などの管理手間を要しない点で、介護の用に供される車いすに利用するのに適している。
【００１１】
かかるタイヤ１は、前記トレッド部１ａからリム２への装着部１ｃに近づくに連れて幅（タイヤ１の左右の側部１ｂ、１ｂ間の距離）を漸増させるように構成されている。
【００１２】
この実施の形態にあっては、かかるトレッド部１ａは車いすの後輪の回転中心軸に実質的に平行をなしている。（この回転中心軸に平行な仮想の直線を図１において符号ｘで示す。）また、かかるトレッド部１ａと前記装着部１ｃとの間にある左右の側部１ｂ、１ｂはいずれもリム２への装着部１ｃに近づくに連れてタイヤ１の幅を漸増させるように傾斜している。
【００１３】
図示の例では、左右の側部１ｂ、１ｂの内端１ｂ’位置において、タイヤ１の幅は最大になっている。タイヤ１の内周部には周回突部１ｄが形成されており、この周回突部１ｄの側面１ｄ’と前記側部１ｂとの間には前記回転中心軸と平行な段差面１ｅが形成されている。タイヤ１は弾性変形された状態で、前記周回突部１ｄをリム２の外周に形成された溝状部２ａにはめ込ませて、かかるリム２に前記のように組み合わされる。
【００１４】
前記トレッド部１ａの表面は、凹凸無く滑らかな面となっている。すなわち、トレッド部１ａには溝や突起などのパターンは形成されていない。また、この実施の形態にあっては、タイヤ１の左右の側部の表面もトレッド部１ａと同様に凹凸無く滑らかな面となっている。
【００１５】
この実施の形態にかかるタイヤ１にあっては、既存の車いすの車輪を構成するリム２に装着可能な構成を備えながら、接地箇所となるトレッド部１ａは最小化される。これにより、タイヤ１の汚れの除去が必要となる場合でも、その箇所を最小化させることができる。また、トレッド部１ａは凹凸無く滑らかな面であることから、汚れがつきにくく、また、付着した汚れも除去しやすい。
【００１６】
なお、当然のことながら、本発明は以上に説明した実施態様に限定されるものではなく、本発明の目的を達成し得るすべての実施態様を含むものである。
【符号の説明】
【００１７】
１ａ  トレッド部
１ｃ  装着部
２  リム
【図１】
2015051644.tif 000003
(57)【要約】【課題】本願は、既に根上で縁石を持ち上げた街路樹であっても応急的に根上状態を解消する技術の提供にある。【解決手段】街路樹の最近に置かれた直方体形状の縁石を開口部を有する縁石に置き換える街路樹根上対策方法であり、街路樹の周囲に置かれた直方体形状の縁石を平板と平板下に置く弾性体からなる縁石に置き換える街路樹根上対策方法である。従来の縁石の下部に空間を設けあるいは空間となる部分が生じるようにし街路樹の根上により要求される空間を確保した。【選択図】図２
2015165773.tif 000002
【特許請求の範囲】
【請求項１】
街路樹の最近に置かれた直方体形状の縁石を開口部を有する縁石に置き換える街路樹根上対策方法。
【請求項２】
街路樹の周囲に置かれた直方体形状の縁石を平板と平板下に置く弾性体からなる縁石に置き換える街路樹根上対策方法。
【発明の詳細な説明】
【技術分野】
【０００１】
本発明は、街路樹の成長に伴う根上がり現象を防止する技術に属する。
【背景技術】
【０００２】
街路樹は一般的に歩道の車道側に植栽されている。大きく成長する街路樹は根が地上に盛り上がり街路樹の周囲に置かれた縁石を持ち上げあるいはゆがませ、歩行者あるいは車の走行に支障をもたらすこととなる。その対策として、街路樹を太い金属製の管内に植え付け、その根が管内下方に伸びるよう誘導する方法がある。（特開２０１０−１８３８４５）上記方法は、既に根上で縁石を盛り上げた街路樹に適用することは困難である。
【先行技術文献】
【特許文献】
【０００３】
【特許文献１】特開２０１０−１８３８４５
【発明の開示】
【発明が解決しようとする課題】
【０００４】
本願は、既に根上で縁石を持ち上げた街路樹であっても応急的に根上状態を解消する技術の提供にある。
【課題を解決するための手段】
【０００５】
本第１の発明は、街路樹の最近に置かれた直方体形状の縁石を開口部を有する縁石に置き換える街路樹根上対策方法である。
本第2の発明は、街路樹の周囲に置かれた直方体形状の縁石を平板と平板下に置く弾性体からなる縁石に置き換える街路樹根上対策方法である。
街路樹の根上部分を許容する空間を縁石部分に設けることで解決した。
【発明の効果】
【０００６】
本第１の発明は、街路樹の最近に置かれた直方体形状の縁石を開口部を有する縁石に置き換えることで、根上部分を前記空間部に収めることができる。そのため根上のため縁石が盛り上がった状態が解消する。
本第２の発明は、街路樹の周囲に置かれた直方体形状の縁石を平板と平板下に置く弾性体からなる縁石に置き換えることで、根上部分を弾性体の収縮により吸収することができる。
上記効果に合わせ、外観を保つ効果がある。
【図面の簡単な説明】
【０００７】
【図１】は、街路樹の根上で縁石が盛り上がった状態を示す概念断面図である。
【図２】は、本願の縁石に置き換えることで盛り上がり状態が解消することを示す概念図である。
【図３】は、本願の縁石に置き換えることで盛り上がり状態が解消することを示す他の例の概念図である。
【発明を実施するための形態】
【０００８】
以下、本発明を図により詳細に説明する。
図1に示す通り、巨木となる街路樹はその成長に伴い根が太くなり、地上に盛り上がるようになる。図１ａは一般的な街路樹の周囲の縁石が傾いた状態を示し、図１ｂは車道側も含め縁石が傾いた状態を示す。
そのため、街路樹の周囲の植樹空間を示すための縁石が盛り上がり、交通の妨げになる。
【０００９】
図２ａは、図１ａに示す状態の街路樹の最近に置かれた長方体形状の縁石を開口部を街路樹に向けたＬ型形状の縁石に置き換えた状態を示す。
図に示すように、Ｌ型形状の縁石に換えることで、縁石下に空間を設けている。その空間に街路樹の生長より盛り上がった根の部分が納められる。
Ｌ型形状の縁石は、図に示す一体型ではなく2枚の板を組み合わせたものでも本発明の目的を実施できる。
【００１０】
図２ｂは、長方体形状の縁石を平板と平板の下に置いたスポンジ状の弾性体に置き換えた状態を示す。図に示すように、スポンジ状の弾性体が街路樹の生長により盛り上がった根により押され収縮することで平板部分が盛り上がることを防止している。本方法は必要に応じ、街路樹に最近の複数列の縁石に適用可能である。
【００１１】
図３は、図１ｂに示す状態の街路樹の縁石を修復した状態を示している。図３ａはＬ型形状の縁石で歩道側、車道側の縁石の傾きを修復している。図３ｂは歩道側をＬ型形状の縁石、車道側を三角形状の縁石を用いて縁石の傾きを修復している。
開口部を有する縁石は、上記例に限られず、街路樹の根に向かって根の部分を収容できるような空間が確保できる形状を有すればよい。
【産業上の利用可能性】
【００１２】
街路樹の生長による根上による縁石の盛り上がりゆがみを防止することができる。
【符号の説明】
【００１３】
１  街路樹
２  従来の縁石
３  開口部を有する縁石
４  平板と平板下に置かれた弾性体
【図１】
2015165773.tif 000003
【図２】
2015165773.tif 000004
【図３】
2015165773.tif 000005
(57)【要約】      （修正有）【課題】オムツと併用し、尿取りパットを伝わり、叉尻や腰下から腰下に回り込む便尿を防ぎ、クッション性、通気性も失われない寝たきりの人の便尿止め専用パッドを提供する。【解決手段】適度な厚みを有するクッション１の表面に防水シート２を設け、腰部におけるオムツと肌の間に配し、腰下の重さを分散する便尿止め専用パッドである。【選択図】図１
2015165058.tif 000002
【特許請求の範囲】
【請求項１】
発明パット（Ａ）の形状、資材の使用位置により、便尿の浸透、侵入を阻止する事を目的とし、叉一体化したクッションの適度な厚みを利用し、腰下の重さを分散出来る事を特徴とした、便尿止め専用パットである。
【発明の詳細な説明】
【技術分野】
【０００１】本発明は、寝たきりの人の使用する、オムツが腰下に回り込む、便尿を止められない、叉クッション性、通気性が失われる、事の防護策です。
【背景技術】
【０００２】従来では、腰下の重さを変えるため、体位の位置を変える、尿取りパットを多く使用。
【発明の開示】
【発明が解決しようとする課題】
【０００３】そのため次の様な問題点があった、
（イ）腰下まで広い範囲で便尿が汚す事になる、
（ロ）通気性、クッション性が失われる、
（ハ）便、尿液が直接触れるため肌を傷める、
【課題を解決するための手段】
【０００４】便尿の進入、浸透を阻止するため、適度な厚みのクッション▲１▼に防水シート▲２▼を写真のように一体化し、尻から、尿取りパットからの浸透、侵入を阻止します。
【発明の効果】
【０００５】これにより、便尿は尻から、尿取りパットからも侵入する事が無くなる、叉クッションに於いても保持が出来る、事から腰下の肌を保護する事が出来ます。
【発明を実施するための最良な形態】
【０００６】以下、本発明の形態について説明する。
図１の写真より、
（イ）クッションに防水シートを一体化、肌に当たる防水シートは、腰下の重さで密着する。クッションを尿で濡らす事は無い。
（ロ）肌を汚す範囲か゛少なくなり介護がしやすくなります。
【図面の簡単な説明】
【０００７】
【図１】は発明パット（Ａ）の発明パットの切断面写真。
【図２】は、使用状態にセットした、写真。
【符号の説明】
【０００８】（Ａ）は、本発明の便尿止めパット
▲１▼は、クッション
▲２▼は、防水シート
【図１】
2015165058.tif 000003
【図２】
2015165058.tif 000004
(57)【要約】      （修正有）【課題】ギターの弦をピックで弾くとき、弱く弾いても強くスムーズなピッキングを可能するために、先端の両面（表・裏）に段差を設けたギターピックを提供する。【解決手段】平坦なギターピックの先端の両面（表・裏）に段差を設け、ピックが弦を弾くとき３ａ，３ｂ，３ｃ，３ｄの順番でピックが弦を弾き、３ａのように弦が一度ピックの段差の上部のところに当たり弦が押され、次に３ｂのように弦が段差の下部のところに当たてる。段差の落差と３ａのとき弦が押されることによる反発で３ｂのところで弦がピックに弾かれ、より強いアタックを得、スムーズなピッキングが可能となる。【選択図】図３
2015165287.tif 000002
【特許請求の範囲】
【請求項１】
ピックの先端の両面（表・裏）１に段差２を設けた、先端の両面に段差のあるギターピック。
【発明の詳細な説明】
【技術分野】
【０００１】  この発明はその先端の両面に段差をもうけたギターピックに関する物である。
【背景技術】
【０００２】  従来ギター用ピックの先端は１枚の平坦な板状の物であった。
【発明の開示】
【発明が解決しようとする課題】
【０００３】  平坦な１枚の板では弦を弾いたときのアタックが弱かった。本発明は従来のピッキングより少ない力でより強くギターの弦を弾き、スムーズなギターピッキングを可能にしたものである。
【課題を解決するための手段】
【０００４】  ギターピックの先端の両面（表・裏）１に段差２を設ける。
本製品は、以上の構成によりピックの先端の両面に段差を設けたギターピックである。
【発明の効果】
【０００５】  図３の３ａ，３ｂ，３ｃ，３ｄの順番でピックが弦を弾くとき、３ａのように弦が一度ピックの段差の上部のところに当たり弦が押される。次に３ｂのように弦が段差の下部のところに当たる。段差の落差と３ａのとき弦が押されることによる反発で３ｂのところで弦がピックに弾かれる。よってこれまでより強いアタックを得ることができ、スムーズなピッキングが可能となる。
【発明を実施するための形態】
【０００６】  以下、本発明を実施するための最良の形態について説明する。
ギターピック先端の両面（表・裏）１に段差２（ａ高さ約０．１ｍｍ〜１ｍｍ、ｂ奥行き約０．１ｍｍ〜３ｍｍ）をつける。
本発明は以上のような構造である。
これを使用することによって弦を弾くときにこれまでより強いアタックを得ることができスムーズなピッキングが可能となる。
【図面の簡単な説明】
【０００７】
【図１】  本発明の斜視図である。
【図２】  本発明の側面図である。
【図３】  先端に段差のあるピックで弦を弾くときのピックと弦の動きである。
【符号の説明】
【０００８】１    ピックの先端の両面（表・裏）。
２    ピックの両面（表・裏）の段差。
３    先端に段差のあるギターピックの先端部分。
４    ギターの弦の断面図。
３ａ  ギターピックで弦を弾く順番。
３ｂ  ギターピックで弦を弾く順番。
３ｃ  ギターピックで弦を弾く順番。
３ｄ  ギターピックで弦を弾く順番。
ａ    段差の高さ。
ｂ    段差の奥行き。
【図１】
2015165287.tif 000003
【図２】
2015165287.tif 000004
【図３】
2015165287.tif 000005
(57)【要約】【課題】第１ナット（１）のみを締め付けること依り、優れた緩み止め効果を発揮するロックナットを提供する。【解決手段】本発明のロックナットは、第１ナット（１）と第２座金（２）を設け、第１ナット（１）を回転させて締め付けることに依り、第１ナット（１）の凸部テーパー状外周面（４）が、第２座金（２）に形成された凹部テーパー状内周面（６）に依り、第１ナット（１）の内側方向に押し付けられる。その作用に依り、第１ナット（１）の該凸部（５）に形成された角柱（８）の角部に形成された、食い付き爪（９）が締め付けようとしているボルト軸のネジ山に強力に密着する。第１ナット（１）を緩む方向に回転させようとした場合でも、食い付き爪（９）の爪形状は鋭角な角度を形成しているので、食い付き爪（９）がボルト軸のネジ山に食い込むこと、ボルト軸のネジ山と、第１ナット（１）のネジ山との摩擦に依り、優れた緩み止め効果を発揮することを特徴とする。【選択図】図１
2015165154.tif 000002
【特許請求の範囲】
【請求項１】
第１ナット（１）と第２座金（２）とからなり、第１ナット（１）には、ネジ孔（３）の周りに軸方向外方にしたがって縮径するテーパー状の外周面（４）を有する凸部（５）が形成され、該凸部（５）には、溝（１０）を形成し、溝（１０）に依り、該凸部（５）に角柱（８）を形成し、角柱（８）の角部には食い付き爪（９）を形成し、第２座金（２）には第１ナット（１）の凸部（５）が嵌合するテーパー状の内周面（６）を有する凹部（７）を形成したことを特徴とする緩み止めナット。
【発明の詳細な説明】
【技術分野】
【０００１】本発明は、締め付けナットを緩み止めするのに用いられるロックナットに関するものである。
【背景技術】
【０００２】従来は、締め付けナットを締め付けて、緩み止めをするには２個のナットを締め付けて緩まないようにしていた。【０００３】
【特許文献１】  特許公開平１０−６８４０９
【発明の開示】
【発明が解決しようとする課題】
【０００４】これは次のような欠点があった。従来は、締め付けナットを締め付けて緩み止めをするには２個のナットを締め付けて、お互いのナット同志を押し付けあって緩まないようにしていた。作業内容はナットを２個、締め付け作業を行うものであるため、作業時間が長くなっていた。又、この従来の方法では完全な緩み止め効果は無く、猛烈な振動が加わると簡単に緩む構造であった。本発明は、以上のような欠点をなくすためになされたものである。
【課題を解決するための手段】
【０００５】上記の課題を解決するため、本発明のロックナットは、第１ナット（１）と第２座金（２）を設ける。本発明は、以上の構成よりなるロックナットである。
【発明の効果】
【０００６】第１ナット（１）を回転させて締め付けることに依り、第１ナット（１）の凸部テーパー状外周面（４）が、第２座金（２）に形成された凹部テーパー状内周面（６）に依り、第１ナット（１）の内側方向に押し付けられる。その作用に依り、第１ナット（１）の該凸部（５）に形成された角柱（８）の角部に形成された、食い付き爪（９）が締め付けようとしているボルト軸のネジ山に強力に密着する。食い付き爪（９）の爪形状は鋭角な角度を形成していて、第１ナット（１）は製品材料を高硬度に焼き入れ加工を実施しているので、ボルト軸を製作加工する時に使用されるダイスカッターと同じような作用をする。そのため、第１ナット（１）を緩む方向に回転させようとした場合は、食い付き爪（９）が、ボルト軸のネジ山に食い込むことと、ボルト軸のネジ山と、第１ナットのネジ山との摩擦に依り、第１ナット（１）が緩むことを防止できる。本発明の効果に依れば、たとえ第１ナット（１）と第２座金（２）にて締結されたボルト軸に猛烈な振動が加わった場合であっても、食い付き爪（９）とボルト軸のネジ山の間で第１ナット（１）が緩む応力を防止して、優れた緩み止め効果を発揮することができる。
【発明を実施するための最良の形態】
【０００７】以下、本発明を実施するための最良の形態について説明する。実施例として、図１、図２、図３、図４、図５によってロックナットに基づいて説明する。図１は使用状態を示す断面図、図２は第１ナットの断面図、図３は第２座金の断面図、図４は第１ナットの斜視図、図５は第１ナットの取り付け側より見た斜視図である。このロックナットを使用する場合は、従来より使用されているナットと同じように、まず締め付けようとする、ボルト軸に第２座金を装着して、次に第１ナットを締め付ければ取り付け完了する。
【図面の簡単な説明】
【０００８】
【図１】本発明の使用状態を示す断面図である。
【図２】本発明の第１ナットの断面図である。
【図３】本発明の第２座金の断面図である。
【図４】本発明の第１ナットの斜視図である。
【図５】本発明の第１ナットの取り付け側より見た斜視図である。
【符号の説明】
【０００９】１    第１ナット
２    第２座金
３    ネジ孔
４    凸部テーパー状外周面
５    凸部
６    凹部テーパー状内周面
７    凹部
８    角柱
９    食い付き爪
１０  溝
【図１】
2015165154.tif 000003
【図２】
2015165154.tif 000004
【図３】
2015165154.tif 000005
【図４】
2015165154.tif 000006
【図５】
2015165154.tif 000007
(57)【要約】【課題】本発明は掃除機の吸い込み口に取り付けて、スタンド照明器具として使用するための掃除機用脱着型照明ソケットである。掃除機を使用していない状態で室内に置いたままでは邪魔なものです。掃除機をスタンド照明として使用できるようにして、収納不要の掃除機用に変える照明ソケットを提供する。【手段】照明ソケットに電池を内蔵し、２箇所の電球取り付け口を設ける。１箇所の電球は電池用電球用。もう１箇所は電源コード接続用電球を設ける。【選択図】図２
2015165884.tif 000002
【特許請求の範囲】
【請求項１】
照明用ソケットが掃除機の、吸い込み口取り付け位置で脱着が出来る掃除機用照明用ソケット。
【請求項２】
掃除機用照明用ソケットが電池を内蔵し電球取り付け口を二箇所設けられている請求項１の掃除機用照明用ソケット。
【請求項３】
掃除機用照明用ソケットが電球取り付け口の１箇所は掃除機本体外との電源接続コードと接続され、もう１箇所は電池電源と接続が出来ように設けられている、請求項１の掃除機用照明ソケット。
【発明の詳細な説明】
【技術分野】
【０００１】本発明は電気掃除機のパイプ管先端部分（吸い込み口を取り付ける位置）に付属品の一つとして装着する照明ソケットに関するものである。
【背景技術】
【０００２】従来、電気掃除機のパイプ管先端の吸い込み口の交換部品及び付属品は、ごみを吸い込む機能が必ず付いています。ブラシが付いた吸い込み口、吸い込むごみを見つけやすくする為に電球が付属された吸い込み口、先端が先細りの吸い込み口等があります。
【発明の開示】
【発明が解決しようとする課題】
【０００３】  電気掃除機を使用しないときは一般的には収納場所にしまい込むか、壁や補助スタンドにたてかけて置きます。収納場所からの出し入れは面倒であり、壁に立てかけることや、補助スタンドを用いて室内に置くには、耐え難いものです。また掃除機はいろいろな付属品の取替えが可能になっており、新たな使い方の可能性を含んでいます。本発明は、以上の問題の解決と、掃除機の新たな用途での使用を可能にするものである
【課題を解決するための手段】
【０００４】上記の目的を達成するため、掃除機のパイプ管が床に対して垂直になる形体の掃除機を使用する。（意匠文献Ｉ参照）
パイプ管の先端（吸い込み口が取り付く位置）に照明ソケットを取り付ける。照明ソケットに電池を内蔵する。照明ソケットに２箇所の電球取り付け口を設ける。１箇所は内臓電池による点灯、もう１箇所は電源コード接続よる電源にて点灯する
掃除機本体内にバッテリーを内蔵している機種に対しては、バッテリー電源を電池照明用電球に供給できる接続にする。
本発明は、以上の構成によりなる、掃除機用の脱着型照明ソケットである。
【意匠文献１】
登録第１４９１２２５号
【発明の効果】
【０００５】  本発明を使用すると電気掃除機が室内のスタンド照明としても使用でき、掃除機として使わない時でも本体の収納は不要。又停電時には内臓電池にて照明の点灯ができる。
【発明の実施すための最良の形態】
【０００６】以下、本発明の実施の形態を説明する。
（イ）交換用吸い込み口（３）がパイプ管（２）より取外された状態に、照明用ソケット      （４）を設ける。
（ロ）照明ソケット（４）に  電球（５）取り付け口と電池電源電球（６）取り付け口の      ２箇所と電池（８）を設ける。電源コード（９）にスイッチ（１２）、電池用コー      ド（１０）にスイッチ（１３）を設ける。
本発明は以上の構成よりなる。
本発明を使用する場合は（ロ）の状態の構成でスタンド照明として使用する。
【図面の簡単な説明】
【０００７】
【図１】本発明を接続する電機掃除機の斜視図。
【図２】本発明を使用状態にした斜視図。
【図３】本発明の拡大図
【図４】本発明のプラグの差込部分の斜視図
【符号の説明】
【０００８】１  掃除機本体
２  パイプ管
３  掃除機の交換用吸い込み口
４  照明用ソケット
５  電球
６  電池電源用電球
７  プラグ
８  電池
９  電源コード
１０  電池用コード
１１  ストッパー
１２  スイッチ
１３  スイッチ
【図１】
2015165884.tif 000003
【図２】
2015165884.tif 000004
【図３】
2015165884.tif 000005
【図４】
2015165884.tif 000006
(57)【要約】【課題】  歯磨きをする時、長い柄をにぎって使用すると、力を入れすぎて口の中ですべり歯茎を傷つけたり、足元がグラついてのどをつくような危険を解消するため、短い歯ブラシで、磨きやすく使用できる器具を提供する。【解決手段】  本発明は、指の第一関節から第二関節の間にはめる人差し指用の筒１に、歯ブラシ用の筒２を合体させ、短い歯ブラシ３を挿入し人差し指４と親指５で、つまみながら歯磨きすることで、歯を磨きやすくした。【選択図】図１
2015165883.tif 000002
【特許請求の範囲】
【請求項１】
指の第一関節から第二関節の間にはめることを目的とする筒で、指を曲げることで、指にしっかり固定できることを特長とする筒状の器具。
【請求項２】
請求項１に歯ブラシ用の筒２を、二つの筒の穴が並び合うよう合体させ、歯ブラシ用の筒２に用途に合わせたものを挿入させ、指先だけで簡単に操作できることを特長とした筒状の器具。
【請求項３】
請求項１に直接用途に合わせたものを固定した筒状の器具。
【請求項４】
歯ブラシ用の筒２に、切り離した部分７を設け、短い歯ブラシ３の挿入部分６の端に、でっぱり部８を形成し、短い歯ブラシ３の指につまむ部分９をゴムなどスベリにくいよう加工した、請求項２の筒状の器具。
【発明の詳細な説明】
【技術分野】
【０００１】  本発明は、短い歯ブラシで歯を磨きやすくするために、短くした歯ブラシの柄の部分に筒状の器具を装着し、そこに指を入れて磨きやすく使用できるようにしたものである。
【背景技術】
【０００２】  歯ブラシは様々なものが開発されていると思うが、長い柄をにぎって使用する歯ブラシしかなく、短い歯ブラシを使用したものがなかった。
【発明の概要】
【発明が解決しようとする課題】
【０００３】  歯磨きをする際、長い柄をにぎって口の中に歯ブラシを入れると、足元がグラついたり、力が入りすぎ口の中ですべった時、のどや歯茎を突き、強い痛みや出血してしまうなど、口の中を傷つけてしまう場合があり、長い柄を切って使用すると持ちにくく、力も伝わりにくく、磨きにくいという難点があった。本発明は、この課題を解消するためになされたものである。
【課題を解決するための手段】
【０００４】  そこで本発明にあたっては、まず人差し指の第一関節から第二関節にかけた部分を覆った人差し指用の筒１と、歯ブラシ用の筒２を二つの筒の穴が並び合うように合体させた筒を形成する。
そこに長さをカットし、筒に挿入する部分６の角を丸く削った短い歯ブラシ３を、歯ブラシ用の筒２に挿入し、歯ブラシ用の筒２が指の内側の状態で、人差し指用の筒１に人差し指を第二関節まで挿入することで、人差し指４と親指５で歯ブラシの柄をつまんで回転させることができ、人差し指４を曲げることで筒がぬける事を防止し、なおかつ人差し指４の内側で筒をはさみ、しっかり固定できる筒状の器具を形成した。
【発明の効果】
【０００５】  人差し指の第一関節から第二関節の間に筒をはめることで、人差し指と親指で軽くつまんでブラシの角度を調整でき、磨きたい部分に簡単にあてることができ、指を曲げることで、指と筒がしっかり固定され、指先の力がブラシに伝わりやすく、少ない力でしっかり磨け、指への脱着もしやすい。
磨きながらブラシの角度をかえ、指と筒を固定することを、同時におこなう事ができ、歯科医が薦める二本指で余分な力を入れない磨き方を自然に実践できる。
また、新しい歯ブラシに交換したい時は、短い歯ブラシ３をつけかえるだけですみ製造、販売のコストを低減させることができる。
【図面の簡単な説明】
【０００６】
【図１】本発明の使用状態の斜視図である。
【図２】本発明の斜視図である。
【図３】本発明の実施形態の説明図である。
【発明を実施するための形態】
【０００７】  以下、本発明の実施の形態について説明する。
人差し指の第一関節から第二関節部分を覆う人差し指用の筒１と、歯ブラシ用の筒２を、二つの筒の穴が並び合うよう合体させた筒状の器具を形成。（歯ブラシ用の筒２は素材の強度でより細くすることも可能。）
歯ブラシ用の筒２に、挿入部分６を、人差し指４と親指５で軽くつまんで回転できるように、角をまるく形成した短い歯ブラシ３を挿入させ、歯ブラシ用の筒２が内側にある状態で、人差し指用の筒１に指を第二関節まで挿入し装着する。
【０００８】  本発明の図３での実施形態について説明する。
歯ブラシ用の筒２に、切り離した部分７を設け、短い歯ブラシ３の挿入部分６の端にでっぱり部８を形成し、切り離した部分７にでっぱり部８を合わせて挿入し、回転することで、歯ブラシ用の筒２にでっぱり部８がひっかかり、抜けないようにして使用でき、短い歯ブラシ３の指でつまむ部分９を、ゴムなどスベリにくいよう加工することで、より使いやすくすることも可能である。
【０００９】  なお、本発明の歯ブラシ用の筒２に挿入する対象としては、本発明の本来の目的である短い歯ブラシ３にこだわることなく、スプーン、フォークなど、歯ブラシ用の筒２に挿入できるよう形成し、挿入すれば使用することができ、人差し指以外の指や、利き腕にこだわることなく、指先を動かすだけで使用しやすく、介護用品としての利用も可能である。
また、スプーン、フォークなど、使用するのに複雑な動作を必要としないものは、人差し指用の筒１に直接固定して、一体化し、使用することもできる。
【符号の説明】
【００１０】１  人差し指用の筒
２  歯ブラシ用の筒
３  短い歯ブラシ
４  人差し指
５  親指
６  挿入部分
７  切り離した部分
８  でっぱり部
９  指でつまむ部分
【図１】
2015165883.tif 000003
【図２】
2015165883.tif 000004
【図３】
2015165883.tif 000005
(57)【要約】【課題】洗濯カゴに洗濯ネットをかぶせることで洗濯物の出し入れしやすくなり巾着紐と紐ホルダーをつけることで洗濯物が飛びださず紐をポケットに収納するので紐がからまず、見た目もすっきりする。縦の中央にカバンテープを設け重さを分配し、両サイドにはスナップのついた手提げ紐をつけて簡単に持ち運びができるポケットつき洗濯ネットカバンを提供する。【解決する手段】  洗濯ネット（１）の両サイドにスナップのついた手提げ紐（２）を設け、上部に巾着紐（３）と紐ホルダー（４）と紐ホルダーの下にスナップのついたポケット（５）を設け、縦の中央にカバンテープを設けたポケットつき洗濯ネットカバンを特徴とする。【選択図】図１
2015165882.tif 000002
【特許請求の範囲】
【請求項１】
洗濯ネット（１）の両サイドにスナップのついた手提げ紐（２）、巾着紐（３）と紐ホルダー（４）とスナップのついたポケット（５）、縦の中央にカバンテープを設けたポケットつき洗濯ネットカバン。
【発明の詳細な説明】
【技術分野】
【０００１】この発明は、洗濯ネットの両サイドに手提げ紐と、巾着紐とポケット、カバンテープを設けたポケットつき洗濯ネットカバンに関するものである。
【背景技術】
【０００２】従来、洗濯ネットはファスナーになっていた。
【先行技術文献】
【特許文献】
【０００３】
【特許文献１】
【発明の概要】
【発明が解決しようとする課題】
【０００４】これは次のような欠点があった。
従来、洗濯ネットはファスナーになっており洗濯物を出し入れするのが面倒であった。
本発明は、以上のような欠点をなくすためになされたものである。
【課題を解決するための手段】
【０００５】洗濯ネット（１）の両サイドにスナップのついた手提げ紐（２）を設け、上部に巾着紐（３）と紐ホルダー（４）を設け、紐ホルダーの下にスナップのついたポケット（５）を設け、縦の中央にカバンテープを設ける。
本発明は、以上の構成よりなるポケットつき洗濯ネットカバンである。
【発明の効果】
【０００６】洗濯カゴに洗濯ネットがかけられる様になっているので洗濯物の出し入れが楽に出来て簡単である。出し入れする口の部分には巾着紐と紐ホルダーがつき紐ホルダーの下にはポケットがついているので紐を収納できる。巾着紐と紐ホルダーがついているので洗濯物がはみ出すことはなく手提げ紐も付いて持ち運びも楽である。
洗濯後は、何回も取り出す手間が省けてコインランドリーもすぐに行くことができる。
【図面の簡単な説明】
【０００７】
【図１】本発明の斜視図である。
【図２】
【発明を実施するための形態】
【０００８】以下、本発明を実施するための形態について説明する。
洗濯ネット（１）の両サイドに、スナップのついたアクリル素材の手提げ紐（２）を設け、上部にナイロン素材の巾着紐（３）と紐ホルダー（４）を設け、紐ホルダーの下に洗濯ネット素材のスナップのついたポケット（５）を設け、縦の中央に一本のカバンテープを設ける。
本発明は、以上のような構造である。
これを使用するときは、洗濯カゴに洗濯ネットをかぶせて洗濯物を入れて洗えばよい。
【符号の説明】
【０００９】１  洗濯ネット
２  巾着紐
３  紐ホルダー
４  スナップ付き手提げ紐
５  スナップ付きポケット
６  カバンテープ
【図１】
2015165882.tif 000003
(57)【要約】【課題】低コストでの製造が可能な構成を有するパック電池を提供することを目的とする。【解決手段】パック電池は、正負極の少なくとも一方の極がタブ４ａとして形成されてなる一端面を有する素電池４と、溶接棒通過用の孔１ｈが貫通して形成され保護回路基板１とを備え、孔１ｈを覆って、保護回路基板１にリード板２の一端部２ｏｅが接続され、リード板２の他端部ｔｅは、タブ４ａを間に挟んで、一端部２ｏｅ上に折り重ねられており、前記保護回路基板１の前記孔１ｈを介して前記リード板２の一端部２ｏｅ上と、リード板２の他端部ｔｅ上とに、各々、溶接棒を押し当てて通電して、タブ４ａとリード板２とが溶接されている。【選択図】図２
2015026436.tif 000002
【特許請求の範囲】
【請求項１】
正負極の少なくとも一方の極がタブとして形成されてなる一端面を有する素電池と、
溶接棒通過用の孔または切欠が貫通して形成され保護回路基板とを備え、
前記孔または切欠を覆って、前記保護回路基板にリード板の一端部が接続され、前記リード板の他端部は、前記タブを間に挟んで、前記一端部上に折り重ねられており、
前記保護回路基板の前記孔または切欠を介して前記リード板の前記一端部上と、前記リード板の前記他端部上とに、各々、溶接棒を押し当てて通電して、前記タブと前記リード板とが溶接されている
ことを特徴とするパック電池。
【請求項２】
前記素電池は、金属ラミネートシートからなる外装体を有する二次電池であって、前記タブはアルミからなる請求項１のパック電池。
【発明の詳細な説明】
【技術分野】
【０００１】
本発明は、パック電池に関する。
【背景技術】
【０００２】
下記の特許文献の図６に開示されるように、素電池の正負極として、タブが設けられる素電池において、タブを溶接接続するのに、一端側のリード板をコの字状に曲折して、間にタブを配置した状態で溶接し、また、他端側のリード板を保護回路基板に接続している。
【先行技術文献】
【特許文献】
【０００３】
【特許文献１】特開2010-118296
【発明の開示】
【発明が解決しようとする課題】
【０００４】
しかしながら、上記の場合、タブと保護回路基板を電気接続するのに、リード板の一端側でタブと溶接し、リード板の他端側で保護回路基板と接続しており、工程を複数必要とし、コストアップとなっている。
【０００５】
本発明は、上記複数の問題の解決を図ろうとなされたものであって、低コストでの製造が可能な構成を有するパック電池を提供することを目的とする。
【課題を解決するための手段】
【０００６】
本発明のパック電池は、正負極の少なくとも一方の極がタブとして形成されてなる一端面を有する素電池と、溶接棒通過用の孔または切欠が貫通して形成され保護回路基板とを備え、前記孔または切欠を覆って、前記保護回路基板にリード板の一端部が接続され、前記リード板の他端部は、前記タブを間に挟んで、前記一端部上に折り重ねられており、前記保護回路基板の前記孔または切欠を介して前記リード板の前記一端部上と、前記リード板の前記他端部上とに、各々、溶接棒を押し当てて通電して、前記タブと前記リード板とが溶接されている。また、前記素電池は、金属ラミネートシートからなる外装体を有する二次電池であって、前記タブはアルミからなる。
【発明の効果】
【０００７】
本発明においては、前記保護回路基板の前記孔または切欠を介して前記リード板の前記一端部上と、前記リード板の前記他端部上とに、各々、溶接棒を押し当てて通電して、前記タブと前記リード板とが溶接されているので、従来であれば２回の接続工程が必要であったが、本発明においては、１回の接続工程で、保護回路基板とタブとが電気接続することができる。
【図面の簡単な説明】
【０００８】
【図１】本発明の一実施例における保護回路基板を示す斜視図である。
【図２】本発明の一実施例におけるパック電池を製造する一工程を示す斜視図である。
【図３】本発明の一実施例におけるパック電池を製造する次の工程を示す上からの斜視図である。
【図４】本発明の一実施例におけるパック電池を製造する次の工程を示す下からの斜視図である。
【発明を実施するための最良の形態】
【０００９】
以下では、本発明を実施するための最良の形態について、一例を用い説明する。
【００１０】
なお、以下の説明で用いる実施の形態は、本発明の構成および作用・効果を分かりやすく説明するために用いる一例であって、本発明は、その本質的な特徴部分以外に何ら以下の形態に限定を受けるものではない。
【００１１】
本発明の実施例としてのパック電池について、図１〜４を用い説明する。
【００１２】
図１においては、本発明の実施例における組み立て途中の保護回路基板１を示している。
保護回路基板１には、溶接棒通過用の孔１ｈが設けられている。このような孔１ｈは、基板外周辺から設けられた切欠であってもよい。そして、保護回路基板１の裏面においては、
孔１ｈを覆って、保護回路基板１にリード板２（Ｎｉ材料等）の一端部２ｏｅが接続される。このような接続は、半田のリフロー工程にて接続される。リード板２は帯状であり、他端部２ｔｅを備える。
【００１３】
同じ半田のリフロー工程において、安全部品であるＰＴＣ素子３が保護回路基板１に接続される。ＰＴＣ素子３は、矩形板状の素子本体の両面に素子リードが接続された構造である。
【００１４】
図２に示す工程の図に示すように、素電池４は、金属ラミネートシートからなる外装体を有する二次電池であって、外装体の三方が封止された、所謂、三方封止タイプである。素電池４では、外装体の二方の封止部が曲折され、残る封止部４ｃからは正負極の矩形板状のアルミ（アルミ箔）からなるタブ４ａ，ニッケルからなるタブ４ｂが延出されている。図示されるように、ＰＴＣ素子３上にタブ４ｂが配置され、孔１ｈを覆うリード板２の一端部２ｏｅ上に、タブ４ａが配置される。封止部４ｃ上には、絶縁板５が載置される。
【００１５】
図３、４は、次の工程を示す図であり、図３は上から見た斜視図、図４は、下から見た斜視図である。この工程においては、まず、リード板２の他端部２ｔｅは、タブ４ａを間に挟んで、一端部２ｏｅ上に折り重ねられる。
【００１６】
次に、保護回路基板１の孔１ｈを介してリード板２の一端部２ｏｅ上に、溶接棒（図示せず）を押し当て、リード板２の他端部ｔｅ上に、他の溶接棒（図示せず）を押し当てて、通電を行い、所謂、ダイレクトスポット溶接にて、タブ４ａとリード板２とが溶接される。
【００１７】
また、タブ４ｂ上においては、２つの溶接棒（図示せず）を上から押し当てて、通電を行い、所謂、シリーズスポット溶接にて、タブ４ｂとＰＴＣ素子３とが溶接される。
【００１８】
この後、タブ４ａ、４ｂを、１８０度折り曲げることにより、封止部４ｃ上の絶縁板５上に、保護回路基板１を配置することができる。
【符号の説明】
【００１９】
１…保護回路基板
２…リード板
４…素電池
４ａ，４ｂ…タブ
【図１】
2015026436.tif 000003
【図２】
2015026436.tif 000004
【図３】
2015026436.tif 000005
【図４】
2015026436.tif 000006
(57)【要約】【課題】傾斜したＶ字型の板を曲げ、強力な保持力を持つホルダー部を形成する。そのホルダー部を複数連結させることを特徴とするツールホルダーである。【解決手段】傾斜したＶ字型の板を曲げ、支持部、滑り部、止め部を設け、道具自体の自重を利用し多数の支持点で道具を支えることで、強力な保持力を持つホルダー部を設ける。そしてそのホルダー部を複数連結させ強力な保持力と大収納力を併せ持つことを特徴とするツールホルダーである。【選択図】図１
2015107545.tif 000002
【特許請求の範囲】
【請求項１】
傾斜したＶ字型の板を曲げて形成した、支持部、滑り部、止め部からなるホルダー部。
【請求項２】
請求項１に記載のホルダー部を複数連結させたツールホルダー。
【発明の詳細な説明】
【技術分野】
【０００１】本発明は傾斜したＶ字型の板を曲げて形成されるツールホルダーに関するものである。
【背景技術】
【０００２】従来、ツールホルダーは筒型や箱型の形状の容器であった。
【発明の概要】
【発明が解決しようとする課題】
【０００３】これは、次のような欠点があった。
複数の道具が入っている状態で道具を出し入れすると、他の道具に引っ掛かったり、つかえたりして出し入れが困難であった。
また入れた道具の向きが常に定まらず、決まった位置での保持ができないため美観を損ねていた。
ツールホルダーの中が乱雑になりやすく、中に入っているものが確認しづらかった。
道具の長さや大きさが異なると、複数のツールホルダーを使用しなければならなかった。
【課題を解決するための手段】
【０００４】傾斜したＶ字型の板を曲げて、支持部、滑り部、止め部からなるホルダー部を設ける。
そのホルダー部を複数連結させる。
本発明は、以上の構成によりなるツールホルダーである。
【発明の効果】
【０００５】Ｖ字型の板が傾斜しているため道具は自重によってＶ字型の板にはまり、常に決められた位置で保持できるようになる。そのため整理が容易となり、他の道具に干渉せずに道具が出し入れできるようになる。
傾斜したＶ字型の板が挟みこむように道具を支えるため、道具の動きが制限され、強力な保持力を得ることができる。
Ｖ字型の板は様々な形状に対してフィットするため、長さや大きさの異なる多種多様な道具を収納できる。
Ｖ字型の板がガイドになるので道具を入れやすくなり、支持部から滑り部にかけての曲がりが道具の中間部を浮かせた状態にするので道具を出しやすくなる。
収納時の道具の露出面積が増えるため、収納した道具の確認がしやすくなる。
【図面の簡単な説明】
【０００６】
【図１】本発明の斜視図
【図２】本発明の他の実施例を示す斜視図
【図３】ホルダー部の斜視図
【図４】ホルダー部の他の実施例を示す斜視図
【図５】ホルダー部の側面図
【図６】角度変化が緩やかなホルダー部の側面図
【図７】ホルダー部の正面図
【図８】ホルダー部の上面図
【符号の説明】
【０００７】
【符号の説明】１  支持部
２  滑り部
３  止め部
４  ホルダー部
５  台
６  道具
【発明を実施するための形態】
【０００８】以下、本発明を実施するための形態について説明する。
図３、図５に示すように傾斜したＶ字型の板を設ける。これは道具がスムーズに入るようにガイドし収納時に道具上部を支える役割を持つ支持部（１）である。
その支持部（１）の先を緩やかに曲げ、滑り部（２）を設ける。
滑り部（２）は道具がスムーズに入るようガイドしつつ、道具を入れた時の衝撃を緩衝し、収納時に道具下部を支える役割を持つ。
図６のように支持部と滑り部の曲がりをなめらかにするとさらに効果的である。
また支持部から滑り部にかけての曲がりがあることで道具を收納した際に道具の中間部を浮かせた状態にするため、その部分を掴み取り出しやすくする効果がある。
図３、図５で示すように滑り部（２）の先を急角度で曲げ止め部（３）を設ける。
止め部（３）は滑り部（２）を滑り落ちてきた道具の動きを止め、収納時に道具下部を支える役割を持つ。
支持部（１）、滑り部（２）、止め部（３）を一体としたホルダー部（４）を設ける。
このホルダー部（４）を複数連結する。
図１、図２にあるように連結することで、多くの道具を収納できるようになり、道具の整理がしやすくなる。
ツールホルダー単体のみでは自立しないため、支えや台等（５）を設け固定もしくは自立させる。
本発明は、以上のような構造である。
これを使用するときは道具の先端部をＶ字型の板に沿って入れるようにする。
図５に示すように道具を出すときは道具軸上部または支持部（１）から滑り部（２）にかけて浮いている部分を持って取り出す。
【図１】
2015107545.tif 000003
【図２】
2015107545.tif 000004
【図３】
2015107545.tif 000005
【図４】
2015107545.tif 000006
【図５】
2015107545.tif 000007
【図６】
2015107545.tif 000008
【図７】
2015107545.tif 000009
【図８】
2015107545.tif 000010
(57)【要約】      （修正有）【課題】日本の家庭においてコタツは欠かせない暖房器具の一つである。しかし、日本では原子力発電所の運転が難しくなり、広く節電が叫ばれており、このコタツをより効果的に使用する工夫が必要である。この手段としてコタツとひざ掛け毛布を併用しているが、現在市販されているひざ掛け毛布にはコタツ用としての機能は具備されていない。本発明はコタツ用としてひざ掛け毛布のずれを防止する機能を持ち、使い易く暖房効果の高いひざ掛け毛布を提供する。【解決手段】一般的なひざ掛け毛布に使用される織布を裁断、または、縫製して十字形とし、この十字の交差する４つの角に、正方形で正方形の片面の四辺に突起を設けた脚座３を配した形態とする。このひざ掛け毛布は、角型の４本脚のコタツで使用するもので、このコタツの４本の脚を、突起を設けた各脚座３の上にセットし、コタツの自重を利用してひざ掛け毛布のずれを防止するものである。【選択図】図２
2015107295.tif 000002
【特許請求の範囲】
【請求項１】
一般的なひざ掛け毛布に使用される織布を裁断、または、縫製して十字形とし、この十字の交差する４つの角に、正方形で正方形の片面の四辺に突起を設けた脚座を配したことを特長とするコタツ用のひざ掛け毛布。
【発明の詳細な説明】
【技術分野】
【０００１】  本発明は、一般的に敷物の上にセットされ、座って暖を取る４本脚のコタツで使用する、ひざ掛け毛布に関するものである。
【背景技術】
【０００２】  現在市販されているひざ掛け毛布は、単に膝に掛けて体温の放散を防ぎ膝を保温するもので、特にコタツ用としての機能は具備されていない。
【発明の概要】
【発明が解決しようとする課題】
【０００３】  本発明のひざ掛け毛布はコタツ用として、コタツを複数人で使用する場合でもひざ掛け毛布のずれが防止できる機能を持ち、このひざ掛け毛布をコタツと併用することで暖房効果を高め、結果的に節電を図るものである。
【課題を解決するための手段】
【０００４】  一般的にひざ掛け毛布として市販され広く使用されている織布を裁断、または、縫製して十字形とする。
この十字の交差する４つの角に、正方形で正方形の片面の四辺に突起を設けた脚座を配置する。
なお、脚座は突起のある面をひざ掛け毛布の表側とする。
【発明の効果】
【０００５】  本発明は四角形の角型コタツと併用して使用するもので、コタツの４本の脚をひざ掛け毛布の各脚座の上にセットする。
各脚座には四辺に突起が設けてあり、コタツの自重を利用することでひざ掛け毛布のずれを防止し、快適に膝を保温できる。
また、形状を十字形とし、膝に掛ける部分のエプロンがコタツの四辺のエリア毎に分離されており、他のエリアを使用する人から干渉されず単独で膝をカバーできる。
また、コタツの敷物としてホットカーペットを使用すれば、下からの温熱を十字形の中央部分で保温し、コタツの掛け布団と相まって保温効果を高め、結果的に節電につながる。
【図面の簡単な説明】
【０００６】
【図１】本発明のひざ掛け毛布を使用した斜視図（コタツの掛け布団は図示せず）
【図２】本発明のひざ掛け毛布の正面図
【図３】脚座のＡ−Ａ線断面図
【発明を実施するための形態】
【０００７】  以下例として、正方形のコタツ用で、織布を縫製して十字形を形成する実施形態について説明する。
図２において、１は本体、２は膝に掛けるエプロン、３は突起４を設けた脚座、５は本体１とエプロン２を縫い合わせた縫製線を示す。
図２の脚座３と脚座３の間隔６は、図１のコタツ７の脚８と脚８の間隔９よりＸ大きな寸法とする。
Ｘはコタツ７を使用する人が胡座で座ることができるような寸法とする。
また、Ｘは本体１およびエプロン２に使用する織布の伸縮性を考慮し、適正な値を決定する。
また、十字の交差する四つの角に、脚座３を突起４がひざ掛け毛布１０の表側となるように配置する。
尚、脚座３の大きさはコタツ７の脚８の大きさに合わせると共に、突起４の高さはひざ掛け毛布１０が使用中ずれないように３ｍｍ以上とする。
【符号の説明】
【０００８】      １    本体
２    エプロン
３    脚座
４    突起
５    縫製線
６    間隔（脚座３〜脚座３  図示せず）
７    コタツ（掛け布団は図示せず）
８    脚
９    間隔（脚８〜脚８  図示せず）
１０  ひざ掛け毛布
【図１】
2015107295.tif 000003
【図２】
2015107295.tif 000004
【図３】
2015107295.tif 000005
(57)【要約】【課題】  生にんにくを発酵・熟成させて黒にんにくを製造する過程において、その熱源の確保に化石燃料を使用せず、温泉熱を利用する。【解決手段】  生にんにくを入れた容器を密閉容器の室内５にある棚２に静置する。密閉容器１を貫通させた放熱筒３の中を温泉水又は温泉の蒸気４を通過させ、密閉容器の室内５の温度を高温かつ一定に保持させる。【選択図】図１
2015107093.tif 000002
【特許請求の範囲】
【請求項１】
生にんにくから黒にんにくを製造する過程において、必要な熱源を化石エネルギーに頼らず、自然エネルギーである温泉水又は、温泉の蒸気を利用する製造方法。
【発明の詳細な説明】
【技術分野】
【０００１】  本発明は、黒にんにくの製造方法に関するものである。
【背景技術】
【０００２】  黒にんにくの製造は生にんにくを一定の高温下にて発酵・熟成させるものであるが、その温度が５０〜８０℃と高く又、発酵・熟成期間も約１ヶ月と長期になるため、その熱源となる燃料代がかさむという欠点があった。
【発明の概要】
【発明が解決しようとする課題】
【０００３】  本発明は、上記の欠点を解決するためのものであり、より少ないエネルギーの消費で黒にんにくの製造を可能にすることを目的にしている。
【課題を解決するための手段】
【０００４】  本発明は、より少ないエネルギーの消費で黒にんにくの製造を可能にするため、自然エネルギーである、温泉熱を利用することを主な特徴とする。
【発明の効果】
【０００５】  本発明の製造方法は、製造コストの削減と地球温暖化の低減に寄与できるという効果がある。
【図面の簡単な説明】
【０００６】
【図１】図１は黒にんにくの製造方法の実施形態を示した説明図である。
【発明を実施するための形態】
【０００７】  本発明を実施するための形態について図面を参照して説明する。図１は本発明の実施形態を示すものである。
【０００８】  生にんにくを入れた容器を密閉容器の室内５にある棚２に静置する。密閉容器１を貫通させた放熱筒３の中を温泉水又は温泉の蒸気４を通過させ、密閉容器の室内５の温度を高温かつ一定に保持させる。
【０００９】  一定の期間静置することにより、生にんにくの発酵・熟成が進行し、色は当初の白色から黒色に変化が進み、黒にんにくの完成となる。
【産業上の利用可能性】
【００１０】  本発明の製造方法は、製造コストの削減に効果をもたらす他、地球温暖化の低減に寄与できるという効果もある。又、より環境にやさしい商品としての価値も見出すことが可能である。
【符号の説明】
【００１１】１密閉容器
２棚
３放熱筒
４温泉水又は温泉の蒸気
５密閉容器の室内
【図１】
2015107093.tif 000003